(57)【要約】      （修正有）【課題】容易に位置合わせすることができる光ファイバーの位置合わせ方法を提供する。【解決手段】光ファイバ１０の端面が露出した第１のデバイス１と、一方の端面２Ａに分岐元部、他方の端面２Ｂに分岐先部２２が、露出した分岐導波路デバイス２とを備え、第１のデバイスの露出した光ファイバと分岐導波路デバイスの分岐元部とを接合するに際し、ファイバコリメータ４のファイバと反対側のコリメータレンズの端面４Ａを分岐導波路デバイスの他方の端面に対して、ファイバコリメータのファイバと反対側のコリメータレンズの端面が平行とならないように傾斜させ、第１のデバイスからの光を分岐導波路デバイスの分岐先部、ファイバコリメータを介して観察して、第１のデバイスと分岐導波路デバイスを相対変位させて、第１のデバイスの端面に露出した光ファイバのコアと分岐導波路デバイスの一方の端面に露出した分岐元部のコアの位置合わせを行う。【選択図】図４
2014026202.tif 000002
【特許請求の範囲】
【請求項１】
シングルモードの光ファイバを内在すると共に、前記シングルモードの光ファイバの端面が露出した第１のデバイスと、分岐元部及び該分岐元部から分岐して光を伝送する分岐先部を内在すると共に、一方の端面に前記分岐元部が、他方の端面に前記分岐先部が、それぞれ露出した分岐導波路デバイスとを備え、
前記第１のデバイスの露出した前記シングルモードの光ファイバと前記分岐導波路デバイスの前記分岐元部とを接合するに際し、
ファイバコリメータのファイバと反対側のコリメータレンズ側の端面を前記分岐導波路デバイスの前記他方の端面に対して、前記ファイバコリメータのファイバと反対側のコリメータレンズ側の端面が平行とならないように傾斜させ、前記第１のデバイスからの光を前記分岐導波路デバイスの前記分岐先部、前記ファイバコリメータを介して観察して、前記第１のデバイスと前記分岐導波路デバイスを相対変位させて、前記第１のデバイスの端面に露出した光ファイバのコアと前記分岐導波路デバイスの一方の端面に露出した前記分岐元部のコアの位置合わせを行う
ことを光ファイバーの位置合わせ方法。
【請求項２】
シングルモードの光ファイバを内在すると共に、前記シングルモードの光ファイバの端面が露出した第１のデバイスと、分岐元部及び該分岐元部から分岐して光を伝送する分岐先部を内在すると共に、一方の端面に前記分岐元部が、他方の端面に前記分岐先部が、それぞれ露出した分岐導波路デバイスとを備え、
前記第１のデバイスの露出した前記シングルモードの光ファイバと前記分岐導波路デバイスの前記分岐元部とを接合するに際し、
ＣＣＤカメラの端面を前記分岐導波路デバイスの前記他方の端面に対して、前記ＣＣＤカメラの端面が平行とならないように傾斜させ、前記第１のデバイスからの光を前記分岐導波路デバイスの前記分岐先部、前記ＣＣＤカメラを介して観察して、前記第１のデバイスと前記分岐導波路デバイスを相対変位させて、前記第１のデバイスの端面に露出した光ファイバのコアと前記分岐導波路デバイスの一方の端面に露出した前記分岐元部のコアの位置合わせを行う
ことを光ファイバーの位置合わせ方法。
【発明の詳細な説明】
【技術分野】
【０００１】
本発明は、光ファイバーの位置合わせ方法に係り、特に、容易に位置合わせすることができる光ファイバーの位置合わせ方法に関する。
【背景技術】
【０００２】
シングルモードの光ファイバを分岐する際、デバイスの露出したシングルモードの光ファイバのコアと分岐導波路デバイスの分岐元部のコアとを位置合わせする必要がある。
位置合わせは、例えば、シングルモードの光ファイバからの光を分岐導波路デバイスの分岐先部を介して観察するようにしている。
【発明の概要】
【発明が解決しようとする課題】
【０００３】
ところが、上記の場合、漏れ光とコアからの光が重なって観察されるため、容易に位置あわせができないという問題点が生じた。
【０００４】
本発明は、前記問題点を考慮したなされたもので容易に位置合わせすることができる光ファイバーの位置合わせ方法を提供することを目的とする。
【課題を解決するための手段】
【０００５】
請求項１記載の光ファイバーの位置合わせ方法は、シングルモードの光ファイバを内在すると共に、前記シングルモードの光ファイバの端面が露出した第１のデバイスと、分岐元部及び該分岐元部から分岐して光を伝送する分岐先部を内在すると共に、一方の端面に前記分岐元部が、他方の端面に前記分岐先部が、それぞれ露出した分岐導波路デバイスとを備え、前記第１のデバイスの露出した前記シングルモードの光ファイバと前記分岐導波路デバイスの前記分岐元部とを接合するに際し、ファイバコリメータのファイバと反対側のコリメータレンズ側の端面を前記分岐導波路デバイスの前記他方の端面に対して、前記ファイバコリメータのファイバと反対側のコリメータレンズ側の端面が平行とならないように傾斜させ、前記第１のデバイスからの光を前記分岐導波路デバイスの前記分岐先部、前記ファイバコリメータを介して観察して、前記第１のデバイスと前記分岐導波路デバイスを相対変位させて、前記第１のデバイスの端面に露出した光ファイバのコアと前記分岐導波路デバイスの一方の端面に露出した前記分岐元部のコアの位置合わせを行うものである。
【０００６】
また、請求項２記載の光ファイバーの位置合わせ方法は、シングルモードの光ファイバを内在すると共に、前記シングルモードの光ファイバの端面が露出した第１のデバイスと、分岐元部及び該分岐元部から分岐して光を伝送する分岐先部を内在すると共に、一方の端面に前記分岐元部が、他方の端面に前記分岐先部が、それぞれ露出した分岐導波路デバイスとを備え、前記第１のデバイスの露出した前記シングルモードの光ファイバと前記分岐導波路デバイスの前記分岐元部とを接合するに際し、ＣＣＤカメラの端面を前記分岐導波路デバイスの前記他方の端面に対して、前記ＣＣＤカメラの端面が平行とならないように傾斜させ、前記第１のデバイスからの光を前記分岐導波路デバイスの前記分岐先部、前記ＣＣＤカメラを介して観察して、前記第１のデバイスと前記分岐導波路デバイスを相対変位させて、前記第１のデバイスの端面に露出した光ファイバのコアと前記分岐導波路デバイスの一方の端面に露出した前記分岐元部のコアの位置合わせを行うものである。
【発明の効果】
【０００７】
請求項１記載の光ファイバーの位置合わせ方法によれば、ファイバコリメータのファイバと反対側のコリメータレンズ側の端面を分岐導波路デバイスの他方の端面に対して、ファイバコリメータのファイバと反対側のコリメータレンズ側の端面が平行とならないように傾斜させ、第１のデバイスからの光を分岐導波路デバイスの分岐先部、ファイバコリメータを介して観察するため、ファイバコリメータのファイバと反対側のコリメータレンズ側の端面を分岐導波路デバイスの他方の端面に平行にして観察する場合に比べ、漏れ光が入り込まない分、分岐先部のコアの光強度の観察がし易く、第１のデバイスの端面に露出した光ファイバのコアと分岐導波路デバイスの一方の端面に露出した分岐元部のコアの位置合わせを確実に行うことができる。
【０００８】
また、請求項２記載の光ファイバーの位置合わせ方法によれば、ＣＣＤカメラの端面を分岐導波路デバイスの他方の端面に対して、ＣＣＤカメラの端面が平行とならないように傾斜させ、第１のデバイスからの光を分岐導波路デバイスの分岐先部、ＣＣＤカメラを介して観察するため、ＣＣＤカメラの端面を分岐導波路デバイスの他方の端面に平行にして観察する場合に比べ、漏れ光が入り込まない分、分岐先部のコアの光強度の観察がし易く、第１のデバイスの端面に露出した光ファイバのコアと分岐導波路デバイスの一方の端面に露出した分岐元部のコアの位置合わせを確実に行うことができる。
【図面の簡単な説明】
【０００９】
【図１】図１は、本発明の一実施例の固定方法によって接合された光ファイバーの概略的斜視図である。
【図２】図２は、図１の接合前の状態の第１のデバイスの露出したシングルモードの光ファイバと分岐導波路デバイスの分岐元部の概略的斜視図である。
【図３】図３は、図２の第１のデバイスの露出した端面と分岐導波路デバイスの分岐元部の端面とを合わせた状態の概略的斜視図である。
【図４】図４は、ファイバコリメータのファイバと反対側のコリメータレンズ側の端面を分岐導波路デバイスの他方の端面に対して、ファイバコリメータのファイバと反対側のコリメータレンズ側の端面が平行とならないように傾斜させた状態の概略的図である。
【図５】図５は、図４の光パワーメーターの概略的図である。
【図６】図６は、ファイバコリメータのファイバと反対側のコリメータレンズ側の端面を分岐導波路デバイスの他方の端面に対して、ファイバコリメータのファイバと反対側のコリメータレンズ側の端面が平行となった状態の概略的図である。
【図７】図７は、図６の光パワーメーターの概略的図である。
【図８】図８は、分岐導波路デバイスの分岐先部のコアと一方の端面に露出した複数のシングルモードファイバのコアの位置合わせを行う状態の概略的図である。
【図９】図９は、シングルモードの光ファイバと分岐導波路デバイスとの間に、分岐導波路デバイスと第２のデバイスとの間に、図示しないステージを相対的に移動させて、間隙を形成した状態の概略的図である。
【発明を実施するための形態】
【００１０】
本発明の一実施例の光ファイバーの位置合わせ方法を図面（図１乃至図３）を参照して説明する。  
図１は、シングルモードの光ファイバ１０を分岐導波路デバイス２を介して複数のシングルモードファイバ３０に位置合わし、接合されたものを示している。
位置合わせ方法（位置合わせ装置）は、概略的に、シングルモードの光ファイバ１０を内在すると共に、シングルモードの光ファイバ１０の端面１Ｂが露出した第１のデバイス１と、分岐元部２１及び該分岐元部２１から分岐して光を伝送する分岐先部２２を内在すると共に、一方の端面２Ａに分岐元部２１が、他方の端面２Ｂに分岐先部２２が、それぞれ露出した分岐導波路デバイス２と、複数のシングルモードファイバ３０を内在すると共に、複数のシングルモードファイバ３０の両端面が露出した第２のデバイス３と、ファイバコリメータ４とを備えている。
【００１１】
第１のデバイス１の端面１Ｂに露出した光ファイバ１０のコアと分岐導波路デバイス２の一方の端面２Ａに露出した分岐元部２１のコアの位置合わせを行った後、分岐導波路デバイス２の分岐先部２２のコアと一方の端面３Ａに露出した複数のシングルモードファイバ３０のコアの位置合わせを行うようにしている。
【００１２】
先ず、第１のデバイス１の端面１Ｂに露出した光ファイバ１０のコアと分岐導波路デバイス２の一方の端面２Ａに露出した分岐元部２１のコアの位置合わせを行うには、第１のデバイス１を三次元に変位変異可能なステージ（図示せず）に、分岐導波路デバイス２を三次元に変位変異可能なステージ（図示せず）に、それぞれ載置し、第１のデバイス１の端面１Ｂと分岐導波路デバイス２の一方の端面２Ａを合わせ（面合わせ・・・図３参照）をし、その後、光ファイバ１０から光を入射する。
そして、ファイバコリメータ４のファイバと反対側のコリメータレンズ側の端面４Ａを分岐導波路デバイス２の他方の端面２Ｂに対して、ファイバコリメータ４のファイバと反対側のコリメータレンズ側の端面４Ａが平行とならないように傾斜させている（図４参照）。
これは、図６及び図７に示すように、ファイバコリメータ４のファイバと反対側のコリメータレンズ側の端面４Ａを分岐導波路デバイス２の他方の端面２Ｂに対して、ファイバコリメータ４のファイバと反対側のコリメータレンズ側の端面４Ａが平行となると、コアからの光Ａと漏れ光Ｂとが重なって検出しにくいためである。
即ち、図４及び図５に示すように、ファイバコリメータ４のファイバと反対側のコリメータレンズ側の端面４Ａを分岐導波路デバイス２の他方の端面２Ｂに対して、ファイバコリメータ４のファイバと反対側のコリメータレンズ側の端面４Ａが平行とならないように傾斜させることにより、漏れ光Ｂが排除されやすく、コアからの光Ａと漏れ光Ｂとが重なりにくくなって検出し易くするようにしている。
なお、分岐先部２２のコアの直径は、例えば、１０μであり、ファイバコリメータ４のファイバと反対側のコリメータレンズ側の端面４Ａの口径は、例えば、約１mmであり、後述するＣＣＤカメラの口径は、例えば、約２mm〜約３mmである。
【００１３】
従って、上述の光ファイバーの位置合わせ方法によれば、ファイバコリメータ４のファイバと反対側のコリメータレンズ側の端面４Ａを分岐導波路デバイス２の他方の端面２Ｂに対して、ファイバコリメータ４のファイバと反対側のコリメータレンズ側の端面４Ａが平行とならないように傾斜させ、第１のデバイス１からの光を分岐導波路デバイス２の分岐先部２２、ファイバコリメータ４を介して、例えば、表示部（例えば、光パワーメータ）５を介して観察するから、ファイバコリメータ４のファイバと反対側のコリメータレンズ側の端面４Ａを分岐導波路デバイス２の他方の端面２Ｂに平行にして観察する場合に比べ、漏れ光が入り込まれにくい分、分岐先部２２のコアの光強度の観察がし易く、第１のデバイス１の端面１Ａに露出した光ファイバ１０のコアと分岐導波路デバイス２の一方の端面２Ａに露出した分岐元部２２のコアの位置合わせを確実に行うことができる。
【００１４】
第１のデバイス１からの光を分岐導波路デバイス２の分岐先部２２、ファイバコリメータ４を介して、例えば、表示部（例えば、光パワーメータ）５を介して観察して、光強度が強くなるように、第１のデバイス１と分岐導波路デバイス２を相対変位させて、例えば、分岐導波路デバイス２を三次元に変位変異可能なステージ（図示せず）を移動させる。
光強度が強くなったところが、第１のデバイス１の端面１Ｂに露出した光ファイバ１０のコアと分岐導波路デバイス２の一方の端面２Ａに露出した分岐元部２１のコアの位置合わせとなる。
【００１５】
この第１のデバイス１の端面１Ｂに露出した光ファイバ１０のコアと分岐導波路デバイス２の一方の端面２Ａに露出した分岐元部２１のコアの位置合わせが終わった後、分岐導波路デバイス２の分岐先部２２のコアと一方の端面３Ａに露出した複数のシングルモードファイバ３０のコアの位置合わせを行う。
第２のデバイス３は三次元に変位変異可能なステージ（図示せず）に載置し、分岐導波路デバイス２の他方の端面２Ｂと複数のシングルモードファイバ３０の他方の端面３Ｂを合わせ（面合わせ・・・図８参照）をし、その後、光ファイバ１０から光を入射する。
第１のデバイス１からの光を分岐導波路デバイス２の分岐先部２２、第２のデバイス３の露出したシングルモードファイバ３０、表示部（例えば、光パワーメータ）５を介して観察して、光強度が強くなるように、分岐導波路デバイス２と第２のデバイス３を相対変位させて、例えば、第２のデバイス３を三次元に変位変異可能なステージ（図示せず）を移動させる。
光強度が強くなったところが、分岐導波路デバイス２の分岐先部２２のコアと一方の端面３Ａに露出したシングルモードファイバ３０のコアの位置合わせとなる。
【００１６】
上述したように、シングルモードの光ファイバ１０を分岐導波路デバイス２を介して複数のシングルモードファイバ３０に位置合わした後、シングルモードの光ファイバ１０と分岐導波路デバイス２との間に、分岐導波路デバイス２と第２のデバイス３との間に、図示しないステージを相対的に移動させて、間隙ｔを形成する。形成後、間隙ｔ内にＵＶ接着剤を滴下し、滴下後、ＵＶを照射し、シングルモードの光ファイバ１０を分岐導波路デバイス２を介して第２のデバイス３を接合する。
【００１７】
なお、上述した実施例においては、ファイバコリメータ４のファイバと反対側のコリメータレンズ側の端面４Ａを分岐導波路デバイス２の他方の端面２Ｂに対して、ファイバコリメータ４のファイバと反対側のコリメータレンズ側の端面４Ａが平行とならないように傾斜させたが、本願発明にあっては、これに限らず、ファイバコリメータ４の代わりに図示しないＣＣＤカメラ（Charge Coupled Device Camera）を用いても良い。
この場合、図示しないＣＣＤカメラの（光入力側の）端面をファイバコリメータ４のファイバと反対側のコリメータレンズ側の端面４Ａと同様に、分岐導波路デバイス２の他方の端面２Ｂに対して、図示しないＣＣＤカメラの端面が平行とならないように傾斜させるようにする。
上述の実施例の表示部５は、ファイバコリメータ４の場合、例えば、光パワーメータであったが、ＣＣＤカメラの場合、表示部５は、ＣＣＤカメラにより撮影された画像を表示することとなる。
【符号の説明】
【００１８】
１      第１のデバイス
２      分岐導波路デバイス
４      ファイバコリメータ
１０    シングルモードの光ファイバ
２１    分岐元部
２２    分岐先部
【図１】
2014026202.tif 000003
【図２】
2014026202.tif 000004
【図３】
2014026202.tif 000005
【図４】
2014026202.tif 000006
【図５】
2014026202.tif 000007
【図６】
2014026202.tif 000008
【図７】
2014026202.tif 000009
【図８】
2014026202.tif 000010
【図９】
2014026202.tif 000011